(57)【特許請求の範囲】
【請求項１】
底部を囲むように配設された側壁を、前記底部に重なるように折り畳むことが可能な折り畳みコンテナーにおいて、前記底部には、該底部の底板の縁部から上方に略垂直に延在する内壁部と、該内壁部の上端から外側に略水平に延在する水平部と、該水平部の縁部から下方に底板付近まで延在する外壁部とからなる土手部が形成されており、前記土手部の水平部には、平面形状が長方形の水平孔が形成されているとともに、前記土手部の内壁部には、前記水平孔に連通するとともに、前記底板付近まで延在する方形状の縦孔が形成されており、また、前記縦孔の横幅（前記土手部の長手方向に沿った長さ）が、前記水平孔の長辺長さ（前記土手部の長手方向に沿った長さ）より短く、且つ、前記水平孔の長辺の略中央部に位置するように形成されており、更に、前記縦孔の両側に位置する前記内壁部の内面の上端部には、フックが形成されており、一方、前記側壁の下部水平フランジの下面には、前記側壁の側板に垂直な一対の略方形状の支持片と該一対の支持片を架橋する連結片とからなる支持部が形成されているとともに、前記連結片は、前記側壁の下部水平フランジから前記支持片の下端中央部付近まで、前記支持片に沿って延在しており、また、前記一対の支持片の外側面には、前記側壁が水平に倒された状態において、先端から見た形状が、縦長の略長方形状に形成されたヒンジブロックが、前記支持片の外側面の垂直方向に形成されており、更に、前記ヒンジブロックの前記側壁の下部水平フランジに対して垂直方向の幅を、前記底部に形成された前記土手部の外壁部と前記フックの先端との間の間隙より、若干、狭く形成することにより、前記底部と略水平状態の前記側壁とをヒンジ連結する際に、前記側壁に形成された前記ヒンジブロックが、前記底部形成された土手部や前記フックを変形させることなく、前記土手部の外壁部と前記フックとの間に配置されるように構成されており、前記側壁が略垂直に立てられた状態においては、前記側壁に形成された前記ヒンジブロックの一部が、前記底部の前記土手部を構成する内壁部の内面に形成された前記フックの略水平な下面の下に入り込むように構成されていることを特徴とする折り畳みコンテナー。
【発明の詳細な説明】
【０００１】
【発明の属する技術分野】
本発明は、底部を囲むように配設された側壁が、底部に重なるように折り畳むことができる折り畳みコンテナーに関するものである。
【０００２】
【従来の技術】
従来，長方形の底部１の相対する長辺部１ａに、後述するヒンジ部を介して連結された長側壁２と、同じく上記底部１の相対する短辺部１ｂに、ヒンジ部を介して連結された短側壁３とからなる折り畳みコンテナーが知られており、図５に示されている箱型に組み立てられた状態の折り畳みコンテナーを折り畳むには、先ず最初に、長側壁２を、底部１の方向に倒して、図６に示されているように、底部１の上に重ね、次いで、短側壁３を、底部１の方向に倒して、図７に示されているように、長側壁２の上に重ねることにより折り畳む。そして、折り畳まれた状態の短側壁３を、底部１に対して略垂直に立て、次いで、折り畳まれた状態の長側壁２を、底部１に対して略垂直に立てることにより、図５に示されているような箱型に折り畳みコンテナーを組み立てるように構成されている。
【０００３】
次に、図８〜図１０を用いて、底部１と長側壁２及び底部１と短側壁３をヒンジ連結する従来のヒンジ部について説明する。以下においては、一例として、  底部１と長側壁２とをヒンジ連結するヒンジ部について説明する。
【０００４】
長側壁２は、側板２ａ及び側板２ａの下端縁から側板２ａに対して垂直に且つ外側に延在する下部水平フランジ２ｂを有している。２ｃは、下部水平フランジ２ｂの下面に形成された支持部であり、支持部２ｃの側板２ａに対して垂直な相対する垂直面２ｃ１には、それぞれ、垂直面２ｃ１に垂直に円柱状のヒンジピン２ｄが形成されている。支持部２ｃの側板２ａ側の壁面２ｃ２は、側板２ａの内壁面２ａ１と略面一になるように構成されている。
【０００５】
底部１は、底板１ｃ及び長辺部１ａに形成された土手部１ｄとを有しており、土手部１ｄは、底板１ｃの縁部から上方に略垂直に延在する内壁部１ｄ１と、内壁部１ｄ１の上端から外側に略水平に延在する水平部１ｄ２と、水平部１ｄ２の縁部から下方に底板１ｃ付近まで延在する外壁部１ｄ３とから構成されており、長手方向に対して垂直な断面形状が、略逆Ｕ字状に形成されている。
【０００６】
土手部１ｄの水平部１ｄ２には、平面形状が長方形の水平孔１ｅが形成されており、また、土手部１ｄの内壁部１ｄ１には、水平孔１ｅに連通するとともに、底板１ｃ付近まで延在する方形状の縦孔１ｆが形成されている。縦孔１ｆの横幅（土手部１ｄの長手方向に沿った長さ）ｗ１は、水平孔１ｅの長辺長さ（土手部１ｄの長手方向に沿った長さ）ｗ２より短く、且つ、水平孔１ｅの長辺の略中央部に位置している。また、水平孔１ｅの短辺長さ（土手部１ｄの長手方向に対して垂直方向の長さ）ｗ３は、土手部１ｄの内壁部１ｄ１と外壁部１ｄ３との間隔ｗ４と略同じ長さに形成されている。上述した支持部２ｃの側板２ａに対して垂直な方向の幅ｗ５は、水平孔１ｅの短辺長さｗ３、即ち、土手部１ｄの内壁部１ｄ１と外壁部１ｄ３との間隔ｗ４より短く形成されている。また、支持部２ｃに形成されたヒンジピン２ｄの両端部間の長さｗ６は、水平孔１ｅの長辺長さｗ２より、若干、短く形成されている。更に、水平孔１ｅの短辺（土手部１ｄの長手方向に対して垂直な辺）付近の土手部１ｄ内には、水平孔１ｅを挟むように、仕切り壁１ｇが形成されている。
【０００７】
縦孔１ｆの両側に位置する内壁部１ｄ１の内面（外壁部１ｄ３側に位置する面）の上端部には、内壁部１ｄ１に対して略垂直方向に延在するフック１ｈが形成されており、フック１ｈの下面は略水平な水平面１ｈ１として形成されており、また、上面は、外壁部１ｄ３方向に向かって下方に傾斜した傾斜面１ｈ２として形成されている。１ｉは、外壁部１ｄ３の内面（内壁部１ｄ１側に位置する面）に形成された垂直方向に延在する突条であり、平面的に見て、水平孔１ｅの中央に位置するように配置されている。突条１ｉは、外壁部１ｄ３の上端部付近から下端まで延在している。なお、１ｊは、底板１ｃの裏面に形成された交差リブである。
【０００８】
底部１と長側壁２とをヒンジ連結するには、図８に示されているように、略垂直に立てられ、底部１の土手部１ｄの上方に位置する長側壁２を下降させて、長側壁２に形成されたヒンジピン２ｄを有する支持部２ｃを、土手部１ｄの水平部１ｄ２に形成された水平孔１ｅに挿入し、更に下降させると、長側壁２の下降途中において、支持部２ｃに形成されたヒンジピン２ｄが、フック１ｈの傾斜面１ｈ２の当接するとともに、支持部２ｃの下端の外側角部２ｃ３が、外壁部１ｄ３の内面に形成された突条１ｉに当接することになる。更に、強制的に、長側壁２を下降させると、底部１の土手部１ｄを形成する外壁部１ｄ３が外側に変形したり、縦孔１ｆの両側に位置する内壁部１ｄ１が内側（底板１ｃ方向）に変形したり、ヒンジピン２ｄが変形したりして、支持部２ｃに形成されたヒンジピン２ｄが、フック１ｈの傾斜面１ｈ２に沿って下降し．水平面１ｈ１より下に位置する。すると、変形した底部１の土手部１ｄを形成する外壁部１ｄ３の復元力により、支持部２ｃが、突条１ｉに押されて、図９に示されているように、ヒンジピン２ｄが、フック１ｈの水平面１ｈ１の下方に配置されることになり、長側壁２に形成された支持部２ｃのヒンジピン２ｄが、底部１の土手部１ｄに形成されたフック１ｈと係合し、長側壁２と底部１とがヒンジ連結されることになる。
【０００９】
長側壁２と底部１とがヒンジ連結された後においても、支持部２ｃが、突条１ｉに当接するように構成されているので、支持部２ｃは、土手部１ｄの内壁部１ｄ１方向に偏在し、ヒンジピン２ｄが、フック１ｈの水平面１ｈ１から外れないように構成されている。なお、底部１に対して、長側壁２が略垂直に立てられた状態においては、図９に示されているように、長側壁２の下部水平フランジ２ｂは、底部１の土手部１ｄの水平部１ｄ２に載置されることになる。
【００１０】
【発明が解決しようとする課題】
上述した従来の折り畳みコンテナーにおいては、長側壁２と底部１とをヒンジ連結する際に、底部１の土手部１ｄを形成する外壁部１ｄ３を変形させたり、縦孔１ｆの両側に位置する内壁部１ｄ１を変形させたり、ヒンジピン２ｄを変形させたりして、無理に、強制的に、支持部２ｃにヒンジピン２ｄを係合させるために、土手部１ｄを形成する外壁部１ｄ３や内壁部１ｄ１或いはヒンジピン２ｄが損傷するという問題があった。
【００１１】
また、従来の折り畳みコンテナーにおいては、土手部１ｄの外壁部１ｄ３には、外壁部１ｄ３の上端部付近から下端まで延在している突条１ｉが形成されていために、支持部２ｃの高さ（長側壁２の下部水平フランジ２ｂの下面から支持部２ｃの下面までの長さ）ｗ７が低くなり、従って、底部１に対して、長側壁２を略垂直に立てた際には、支持部２ｃの下面２ｃ４と、底部１の底板１ｃの上面１ｃ１との間の隙間ｗ８が大きくなり、従って、箱型に組み立てられた折り畳みコンテナーに収容された物品が、この隙間ｗ８に入り込んだり、収容された物品が小さい場合には、この隙間ｗ８から外にこぼれたりするという問題があった。
【００１２】
本発明の目的は、上述した従来の折り畳みコンテナーが有する課題を解決することにある。
【００１３】
【課題を解決するための手段】
本発明は、上述した目的を達成するために、底部を囲むように配設された側壁を、前記底部に重なるように折り畳むことが可能な折り畳みコンテナーにおいて、前記底部には、該底部の底板の縁部から上方に略垂直に延在する内壁部と、該内壁部の上端から外側に略水平に延在する水平部と、該水平部の縁部から下方に底板付近まで延在する外壁部とからなる土手部が形成されており、前記土手部の水平部には、平面形状が長方形の水平孔が形成されているとともに、前記土手部の内壁部には、前記水平孔に連通するとともに、前記底板付近まで延在する方形状の縦孔が形成されており、また、前記縦孔の横幅（前記土手部の長手方向に沿った長さ）が、前記水平孔の長辺長さ（前記土手部の長手方向に沿った長さ）より短く、且つ、前記水平孔の長辺の略中央部に位置するように形成されており、更に、前記縦孔の両側に位置する前記内壁部の内面の上端部には、フックが形成されており、一方、前記側壁の下部水平フランジの下面には、前記側壁の側板に垂直な一対の略方形状の支持片と該一対の支持片を架橋する連結片とからなる支持部が形成されているとともに、前記連結片は、前記側壁の下部水平フランジから前記支持片の下端中央部付近まで、前記支持片に沿って延在しており、また、前記一対の支持片の外側面には、前記側壁が水平に倒された状態において、先端から見た形状が、縦長の略長方形状に形成されたヒンジブロックが、前記支持片の外側面の垂直方向に形成されており、更に、前記ヒンジブロックの前記側壁の下部水平フランジに対して垂直方向の幅を、前記底部に形成された前記土手部の外壁部と前記フックの先端との間の間隙より、若干、狭く形成することにより、前記底部と略水平状態の前記側壁とをヒンジ連結する際に、前記側壁に形成された前記ヒンジブロックが、前記底部形成された土手部や前記フックを変形させることなく、前記土手部の外壁部と前記フックとの間に配置されるように構成されており、前記側壁が略垂直に立てられた状態においては、前記側壁に形成された前記ヒンジブロックの一部が、前記底部の前記土手部を構成する内壁部の内面に形成された前記フックの略水平な下面の下に入り込むように構成したものである。
【００１４】
【実施例】
以下に、本発明の実施例について説明するが、本発明の趣旨を越えない限り何ら、本実施例に限定されるものでない。なお、本発明においては、上述した従来の折り畳みコンテナーとは、ヒンジ部を構成する長側壁２の支持部２ｃ、支持部２ｃに形成されたヒンジピン２ｄ及び底部１の土手部１ｄの外壁部１ｄ３に形成された突条１ｉ以外は、全て同じ構成を有しているので、同じ構成部分に関しては、上述した従来の折り畳みコンテナーの説明において使用した符号と同じ符号を用いるとともに、その詳細な説明は省略する。
【００１５】
長側壁２の下部水平フランジ２ｂの下面に形成された支持部２０ｃは、所定の間隔をおいて配置された、側板２ａに垂直な一対の略方形状の支持片２０ｃ１と、支持片２０ｃ１を架橋する連結片２０ｃ２とを有している。支持片２０ｃ１の下端角部にはアール２０ｃ３が形成されており、支持片２０ｃ１の側板２ａに対して垂直な方向の幅ｗ５’は、水平孔１ｅの短辺長さｗ３、即ち、土手部１ｄの内壁部１ｄ１と外壁部１ｄ３との間隔ｗ４より短く形成されている。また、連結片２０ｃ２は、長側壁２の下部水平フランジ２ｂから支持片２０ｃ１の下端中央部付近まで、支持片２０ｃ１に沿って延在しており、連結片２０ｃ２の側板２ａ側の壁面２０ｃ２’は、側板２ａの内壁面２ａ１と略面一になるように構成されている。
【００１６】
一対の支持片２０ｃ１の外側面には、外側面に垂直方向にヒンジブロック２０ｄが形成されている。ヒンジブロック２０ｄの下部水平フランジ２ｂに対して垂直方向の幅ｗ９は、底部１の土手部１ｄの外壁部１ｄ３とフック１ｈの先端１ｈ３との間の間隙ｗ１０より、若干、狭く形成されている。また、ヒンジブロック２０ｄの下部水平フランジ２ｂに沿った幅ｗ１１は、支持片２０ｃ１の側板２ａに対して垂直な方向の幅ｗ５’より、若干、狭く形成されている。また、ヒンジブロック２０ｄの下部水平フランジ２ｂに沿った幅ｗ１１は、ヒンジブロック２０ｄの下部水平フランジ２ｂに対して垂直方向の幅ｗ９より長く形成されている。即ち、図１に示されているように、長側壁２が水平に倒された状態において、ヒンジブロック２０ｄの先端から見たヒンジブロック２０ｄの形状は、縦長の略長方形状に形成されている。
【００１７】
上述した突条１ｉに代わって、外壁部１ｄ３の内面（内壁部１ｄ１側に位置する面）の中程の高さには、突起１０ｉが形成されている。突起１０ｉの上面は、土手部１ｄの内壁部１ｄ１に向かって下方に傾斜した傾斜面１０ｉ１として形成されており、また、突起１０ｉの下面は、水平面１０ｉ２として形成されている。上述した突条１ｉとは異なり、外壁部１ｄ３の上端部付近から下端まで延在するようなことはなく、土手部１ｄの外壁部１ｄ３の中央部にのみ形成されている。
【００１８】
底部１と長側壁２とをヒンジ連結するには、図１に示されているように、側板２ａが略水平状態となるように長側壁２を配置し、その後、長側壁２を、底部１に向かって下降させ、長側壁２に形成されたヒンジブロック２０ｄを有する支持部２０ｃを、土手部１ｄの水平部１ｄ２に形成された水平孔１ｅに挿入すると、ヒンジブロック２０ｄの下部水平フランジ２ｂに対して垂直方向の幅ｗ９は、底部１に形成された土手部１ｄの外壁部１ｄ３とフック１ｈの先端１ｈ３との間の間隙ｗ１０より、若干、狭く形成されているので、図２に示されているように、ヒンジブロック２０ｄは、底部１に形成された土手部１ｄの外壁部１ｄ３や内壁部１ｄ１やフック１ｈに、損傷を与えることなく、外壁部１ｄ３とフック１ｈとの間に配置されることになる。
【００１９】
また、上述した長側壁２の下降途中において、連結片２０ｃ２が、外壁部１ｄ３の内面の中程の高さに形成された突起１０ｉに当接することになるが、連結片２０ｃ２の角部２０ｃ２”にはアールが形成されているとともに、突起１０ｉの上面には傾斜面１０ｉ１が形成されており、更には、突起１０ｉは、上述した従来の折り畳みコンテナーに形成された突条１ｉと異なり、外壁部１ｄ３の上端部付近から下端まで延在するようなことはなく、土手部１ｄの外壁部１ｄ３の中央部にのみに形成され、上下方向に短いものであるので、連結片２０ｃ２は、無理なく、容易に、図３に示されているように、突起１０ｉを越えて、突起１０ｉの水平面１０ｉ２より下方に位置することができる。図３に示されているように、連結片２０ｃ２の先端２１ｃは、突起１０ｉの水平面１０ｉ２の下方に位置しているので、水平状態の長側壁２を上方に持ち上げても、連結片２０ｃ２の先端２１ｃが、突起１０ｉの水平面１０ｉ２に当接し、従って、長側壁２が、底部１から外れるようなことがない。
【００２０】
底部１と長側壁２とがヒンジ連結され、略水平状態の長側壁２を、略垂直に立てると、図４に示されているように、長側壁２が水平に倒された状態において、ヒンジブロック２０ｄの先端から見たヒンジブロック２０ｄの形状が、縦長の略長方形状に形成されているヒンジブロック２０ｄの一部は、フック１ｈの水平面１ｈ１の下に入り込むとともに、長側壁２の下部水平フランジ２ｂが、底部１の土手部１ｄの水平部１ｄ２に載置されることになる。
【００２１】
本発明は、上述したように、ヒンジブロック２０ｄが、底部１に形成された土手部１ｄの外壁部１ｄ３とフック１ｈの先端１ｈ３との間の間隙ｗ１０より、若干、狭く形成されているので、ヒンジブロック２０ｄを、底部１に形成された土手部１ｄの外壁部１ｄ３や内壁部１ｄ１やフック１ｈを損傷することなく、外壁部１ｄ３とフック１ｈとの間に挿入し配置することができる。
【００２２】
また、本発明においては、突起１０ｉは、上述した従来の折り畳みコンテナーに形成された突条１ｉと異なり、外壁部１ｄ３の上端部付近から下端まで延在するようなことはなく、土手部１ｄの外壁部１ｄ３の中央部にのみに形成され、上下方向に短いものであるので、連結片２０ｃ２は、無理なく、容易に、突起１０ｉを越えて、突起１０ｉの水平面１０ｉ２より下方に位置することができるので、底部１に形成された土手部１ｄの外壁部１ｄ３や内壁部１ｄ１やフック１ｈの損傷を防止することができる。
【００２３】
更に、本発明においては、突起１０ｉは、上述した従来の折り畳みコンテナーに形成された突条１ｉと異なり、外壁部１ｄ３の上端部付近から下端まで延在するようなことはなく、土手部１ｄの外壁部１ｄ３の中央部にのみに形成され、上下方向に短いものであり、且つ、長側壁２が略水平状態において、底部１とヒンジ連結された際には、連結片２０ｃ２は、突起１０ｉの水平面１０ｉ２より下方に位置するので、図２に示されているように、支持片２０ｃ１の下面（先端）２０ｃ１’を、土手部１ｄの外壁部１ｄ３により接近することができる。従って、長側壁２を、略垂直に立てた際の支持片２０ｃ１の下面２０ｃ１’と、底部１の底板１ｃの上面１ｃ１との間の隙間ｗ８’を、従来の折り畳みコンテナーにおける支持部２ｃの下面２ｃ４と、底部１の底板１ｃの上面１ｃ１との間の隙間ｗ８より狭くすることができるので、箱型に組み立てられた折り畳みコンテナーに収容された物品が、この隙間ｗ８’に入り込んだり、収容された物品が、この隙間ｗ８’から外にこぼれたりするようなことを防止することができる。
【００２４】
【発明の効果】
本発明は、以上説明した構成を有しているので、以下に記載する効果を奏するものである。
【００２５】
底部に形成された土手部やフックや側壁に形成されたヒンジブロック等を損傷することなく、側壁と底部とをヒンジ連結することができる。
【００２６】
ヒンジブロックの連結片の先端が、突起の水平面の下方に位置するように構成したので、水平状態の側壁を上方に持ち上げても、連結片の先端２１ｃが、突起に当接し、従って、側壁が、底部から外れるようなことを防止することができる。
【図面の簡単な説明】
【図１】図１は本発明の折り畳みコンテナーのヒンジ連結を説明するための底部と長側壁の部分分解斜視図である。
【図２】図２は本発明の折り畳みコンテナーの底部と長側壁のヒンジ部付近の垂直断面図である。
【図３】図３は同じく本発明の折り畳みコンテナーの底部と長側壁のヒンジ部付近の垂直断面図である。
【図４】図４は同じく本発明の折り畳みコンテナーの底部と長側壁のヒンジ部付近の垂直断面図である。
【図５】図５は従来の折り畳みコンテナーが箱型に組み立てられた状態の斜視図である。
【図６】図６は従来の折り畳みコンテナーの折り畳み途中の斜視図である。
【図７】図７は従来の折り畳みコンテナーが折り畳まれた状態の斜視図である。
【図８】図８は従来の折り畳みコンテナーのヒンジ連結を説明するための底部と長側壁の部分分解斜視図である。
【図９】図９は従来の折り畳みコンテナーの底部と長側壁のヒンジ部付近の垂直断面図である。
【図１０】図１０は同じく従来の折り畳みコンテナーの底部と長側壁のヒンジ部付近の垂直断面図である。
【符号の説明】
１・・・・・・・・・・・・・・底部
１ｈ・・・・・・・・・・・・・フック
２・・・・・・・・・・・・・・長側壁
３・・・・・・・・・・・・・・短側壁
２０ｃ・・・・・・・・・・・・支持部
２０ｃ３・・・・・・・・・・・ヒンジブロック
【図１】
0004663157.tif 000002
【図２】
0004663157.tif 000003
【図３】
0004663157.tif 000004
【図４】
0004663157.tif 000005
【図５】
0004663157.tif 000006
【図６】
0004663157.tif 000007
【図７】
0004663157.tif 000008
【図８】
0004663157.tif 000009
【図９】
0004663157.tif 000010
【図１０】
0004663157.tif 000011